(57)【要約】【目的】第１の入賞口に入賞した入賞球の落下を利用して第２の入賞口を閉塞状態から開放状態に変換するに当って上記入賞球の落下位置の高さに拘束されることなく前記第２の入賞口を開放操作できるようにする。【構成】第１の入賞口と第２の入賞口との間に上下動する昇降台（７３）を設置し、この昇降台に設ける球受部（７８）を前記第１の入賞口に臨ませる。一方、昇降台（７３）と前記第２の入賞口との間に長さの途中を揺動自由に軸承する連動杆（７４）を介挿し、該連動杆の内端を前記昇降台に、外端を前記第２の入賞口を開放操作する係止部材（８６）に連結して前記第１の入賞口に入賞する入賞球（Ｐ）を前記昇降台（７３）の球受部（７８）に受けてこの昇降台を下降させることで前記連動杆（７４）を揺動し、前記係止部材（８６）を作動して前記第２の入賞口を開放操作する。【選択図】図２２
2007296182.tif 000002
【特許請求の範囲】
【請求項１】
第１の入賞口に飛入する入賞球によって第２の入賞口の開閉手段を開閉作動し、入賞を可能にするパチンコ遊技機の入賞装置において、
前記第１の入賞口と第２の入賞口との間に上下動自由に支持され、上昇位置にあるとき、前記第１の入賞口に連通して入賞球を受け入れる球受部を備える昇降台と、長さの途中を軸承し、揺動する内端を前記昇降台に、外端を前記第２の入賞口の開閉手段に各連結して両者間に渡る連動杆とからなる連動機構を介挿して、常には前記連動杆の外端側に置く重心によって該外端を下降させ、上昇する内端により前記連結する昇降台を上昇位置に支持し、前記球受部を前記第１の入賞口に連通させる一方、前記第１の入賞口からの入賞球を前記球受部に受けたとき、該入賞球の重量によって前記連動杆の外端側の重量に抗して前記昇降台を下降位置に移動させると同時に、上昇する前記連動杆の外端によって前記開閉手段を開放作動し、前記第２の入賞口を開放するようにしたパチンコ遊技機の入賞装置。
【請求項２】
請求項１の記載において、昇降台は上下方向に案内する案内枠に収め、該案内枠に形成する受入口を第１の入賞口に連通させると共に、昇降台が上昇位置にあるとき球受部を上記受入口に臨ませる一方、上記昇降台が下降位置に達したとき前記球受部を前記案内枠に設ける排出口に臨ませることを特徴としたパチンコ遊技機の入賞装置。
【請求項３】
請求項１の記載において、昇降台には横長の連結孔を形成し、他方連動杆の内端には上記連結孔に滑合する連結突起を設けて相互に連結し、昇降台の上下動において前記連結突起を前記連結孔内で左右方向に移動自由にしてなることを特徴としたパチンコ遊技機の入賞装置。
【請求項４】
請求項１の記載において、第１の入賞口に対して第２の入賞口を複数個設置し、上記第１の入賞口に連通する１つの昇降台に対して各第２の入賞口に対応して設置する複数個の連動杆の各内端を該昇降台にそれぞれ連結し、該昇降台の下降に伴わせて前記複数個の連動杆の各外端を一斉に上昇させ、それぞれに連結する各第２の入賞口の開閉手段を開放作動することを特徴としたパチンコ遊技機の入賞装置。
【請求項５】
請求項４の記載において、複数個の第２の入賞口は第１の入賞口を間に左右に配置し、第１の入賞口に連通させる昇降台と、この昇降台と左右の第２の入賞口に備える開閉手段との間に個別に連動杆を介挿して個々に連結し、上記昇降台の上下動に伴わせて前記各連動杆の外端を上下揺動させ、前記左右の第２の入賞口の開閉手段を一斉に開放作動させることを特徴としたパチンコ遊技機の入賞装置。
【請求項６】
請求項５の記載において、第１の入賞口に対して左右に配置する第２の入賞口は上下に段差を設けて配置すると共に、該左右の入賞口の開閉手段に連結する各連動杆を前記上下の段差と同じ段差を設けて配置し、核連動杆の内端と前記第１の入賞口に連通して設ける昇降台とを個別に連結することを特徴としたパチンコ遊技機の入賞装置。
【発明の詳細な説明】
【技術分野】
【０００１】
本発明は、パチンコ遊技機の入賞装置に関する。
【背景技術】
【０００２】
周知のようにパチンコ遊技機における入賞装置は極めて多種に亘っており、提案はもとより実用化されている装置も多様である。
本発明の入賞装置は、この様な中にあって、１つの入賞口に入賞した入賞球の重量を利用して他の入賞口を開閉し、入賞球の飛入を可能にし、或は入賞し易い状態を作って入賞の機会を変化させるようにした入賞装置に関する。
更に言えば、２乃至３，４の複数の入賞口を有する入賞装置にあって、第１の入賞口に入賞した球を利用して他の１つ若しくは２，３個の第２の入賞口に備える扉乃至開閉板等の開閉手段を作動し、閉塞状態にある場合は開放状態に変換し、第２の入賞口に対する入賞を可能ないし容易にして入賞状態を変化させるようにした２種類の入賞口を連動する関係におくパチンコ遊技機の入賞装置に関するものである。
【０００３】
２種類の入賞口を有し、一方の入賞口に打球が入賞したことを条件に他方の入賞口を開閉操作する入賞装置の場合、現在市販される多くのものは電動式、つまりソレノイドを利用したものが主流である。ソレノイドを使用する入賞装置は第１の入賞口に飛入した打球を検出スイッチで検出し、その信号により第２の入賞口に備える開閉手段をソレノイドを励磁して開放操作する構造になっている。
従って、この電動式による場合、第１の入賞口には検出スイッチを装備するだけでよいことになるが、第２の入賞口には開閉手段を操作するためのソレノイドを設置する必要があるため、この取付空間が求められることになる。
【０００４】
しかし、知られるように入賞装置を設置する遊技盤は限られた広さしかなく、入賞装置を組込む空間が限られることから前記ソレノイドを組入れる空間が確保できないことがある。ことに入賞装置自体が入賞球の受け入れに変化を付けるため装置の大型化が求められる状態では第２の入賞口にソレノイドを組込む空間を確保することは困難になる。増して第２の入賞口が複数個になる場合は一層ソレノイドの組込みが困難になると共に、配線の設備等が付加することから装置の複雑さに加えてコスト高となる問題が生ずる。
【０００５】
上記電動型の入賞装置に対して入賞球等パチンコ球の重量を利用して入賞口を開閉作動する形式の入賞装置は、この様な問題を回避することができる。
球の重量を利用して装置を作動させる仕組は、パチンコ遊技機における基本的な構造であり、電動式の入賞装置が多用される以前はこの球の重量を利用した入賞装置が主流をなしていた。
この球の重量を利用する装置は重量のバランスの上に成立しており、多くはパチンコ球を転がり移動させることによって、重量の作用位置を変化させることで、或は支軸を支点に揺動する部材の一方の揺動端にパチンコ球を受けることにより他方の揺動端を跳上げ、この揺動運動を利用することで、装置を作動させ、入賞装置においては入賞口を開閉する扉等の手段を作動させるものとなっている。
【０００６】
この球の重量を利用する装置における最大の特徴はパチンコ遊技機において遊技に使用するパチンコ球をそのまゝ動力源として利用することである。従ってソレノイド等の電気的な動力を使用する場合の前述した問題等を有効に回避できるものとなる。
このパチンコ球の重量を利用して作動させる入賞装置としては例えば特許文献１に記載の入賞玉装置がある。
【特許文献１】特公昭５７−１５９１９号公報。
【０００７】
この特許文献１に記載のパチンコ遊技機の入賞玉装置は、第１の入賞口となる玉受口４と第２の入賞口となる玉受口１２ａ，１２ｂを設けてこの玉受口４と左右の玉受口１２ａ，１２ｂの各間に作動レバー３０ａ，３０ｂを突軸３１ａ，３１ｂを支点に揺動自由に配置するものにしてあり、この作動レバー３０ａ，３０ｂの一端の受部３３ａ，３３ｂを前記玉受口４に連通する樋状枠２８によって形成される通路２９に左右方向から各突入させ、他端を可動片３６ａ，３６ｂを介して前記玉受口１２ａ，１２ｂに収める回転体
１３ａ，１３ｂに関係付けて、常には前記作動レバー３０ａ，３０ｂに備える重錘３２ａ，３２ｂによって前記一端の受部３３ａ，３３ｂを跳上げ、下降する他端で前記可動片３６ａ，３６ｂを拘束して前記回転体１３ａ，１３ｂの回転を止めるように構成するものにしてある。
【０００８】
そして、この入賞玉装置は、前記玉受口１２ａ，１２ｂに玉が入賞してもそのまゝにして、前記玉受口４に玉が入り、通路２９を通って流下するとき、この玉によって前記作動レバー３０ａ，３０ｂの受部３３ａ，３３ｂを下降させて、他端を重錘３２ａ，３２ｂに抗して跳上げ、可動片３６ａ，３６ｂの拘束を解いて回転体１３ａ，１３ｂの回転を許し、この玉受口１２ａ，１２ｂに入賞した玉の受け入れを可能にしたものとなっている。
【０００９】
この特許文献１の入賞玉装置は、従って第１の入賞口と第２の入賞口を作動レバー３０ａ，３０ｂという連動杆によって連動する構造に係る入賞装置になっているが、この従来装置の１つの問題は、作動レバーに直接パチンコ球を作用させ、その重量を負荷して作動レバーを揺動させることにある。
つまり、前述したように通路２９に臨ませた作動レバー３０ａ，３０ｂの一端の受部３３ａ，３３ｂにこの通路２９を落下する玉ＢＬを直接受け止めさせて、この玉の重量で各レバーを押し下げ、突軸３１ａ，３１ｂを支点に揺動させることから玉ＢＬを受けた受部３３ａ，３３ｂは通路２９内部を下降するに従って玉との接触状態を変化させることになる。そして同時に、左右から突き出す受部３３ａ，３３ｂは玉ＢＬを介して連動する関係にあって相互は別々の状態にあることから、玉の負荷が一方の作動レバーに偏在したとき、円滑な作動が妨げられることになり作動不良を起こし、故障の原因ともなることである。
【００１０】
ことに、落下する玉を作動レバーに直接作用させることはレバーが揺動する間にこのレバーとの接触関係を変化させることであり、また玉を誘導する通路２９との接触状態にも変化を来たすことから作用する重量に変化が生じて玉１個の小さな重量を利用して行う当該連動機構においては簡単に動作不良を起こすことになる。
しかも、左右から臨む２本の作動レバーを１個の玉で作動させる場合、両レバーが均衡している場合は円滑な作動が約束されても、この作動レバーが抵抗の相違等によって不均衡となった場合、玉の落下が一方に片寄って両レバーを均一に押下げられないと云った問題を生じ、円滑な作動が妨げられる。
【発明の開示】
【発明が解決しようとする課題】
【００１１】
本発明は、上述した如くパチンコ球の重量を利用して第１の入賞口に入賞したことを原因に、他の入賞口、つまり第２の入賞口を開放作動させる際に、上記パチンコ球が第１の入賞口と第２の入賞口との間に介挿される連動手段である作動レバーに対して常時安定的に、且つ適切に作用させられないことによって生ずる作動不良等に鑑み、これを改善すべく開発されたものである。
前記特許文献１に記載の入賞装置におけるように、第１の入賞口（玉入口）に飛入した入賞球を利用して第２の入賞口となる玉受口を開放するに当って連動手段として作動レバーを使用することが多いが、この作動レバーにパチンコ球を直接作用させると、前述したようにパチンコ球の移動に伴って作動レバーに対する接触状態が変化するため一定の重量を作用させることができず作動不良を起すことがある。
本発明は、この様なことからパチンコ球の重量を利用して作動レバーを作動させる場合に、球の重量を的確に、しかも安定的に作用させて常に安定した動作を作って第２の入賞口の開放操作が行えるようにした改善されたパチンコ遊技機の入賞装置を提供しようとするものである。  
【課題を解決するための手段】
【００１２】
本発明は、上述目的を達成するため、第１の入賞口に受けられた入賞球によって第２の入賞口を解放作動させる際に、両入賞口間に介挿される連動機構としての連動杆に上記入賞球の直接的な接触を避け、これによって接触状態の変化に伴うパチンコ球の作用状態の変化を回避して常にパチンコ球の重量が均一に、しかも安定的に連動杆に作用し、第２の入賞口の開放作動が行えるようにしたパチンコ遊技機の入賞装置を提供しようとするものである。
【００１３】
更に本発明を詳述すれば、本発明は第１の入賞口に飛入する入賞球によって第２の入賞口の開閉手段を開閉作動し、入賞を可能にするパチンコ遊技機の入賞装置において、前記第１の入賞口と第２の入賞口との間に上下動自由に支持され、上昇位置にあるとき、前記第１の入賞口に連通して入賞球を受け入れる球受部を備える昇降台と、長さの途中を軸承し、揺動する内端を前記昇降台に、外端を前記第２の入賞口の開閉手段に各連結して両者間に渡る連動杆とからなる連動機構を介挿して、常には前記連動杆の外端側に置く重心によって該外端を下降させ、上昇する内端により前記連結する昇降台を上昇位置に支持し、前記球受部を前記第１の入賞口に連通させる一方、前記第１の入賞口からの入賞球を前記球受部に受けたとき、該入賞球の重量によって前記連動杆の外端側の重量に抗して前記昇降台を下降位置に移動させると同時に、上昇する前記連動杆の外端によって前記開閉手段を開放作動し、前記第２の入賞口を開放するようにしたパチンコ遊技機の入賞装置を提供することにある。
【００１４】
また本発明は、前記昇降台は上下方向に案内する案内枠に収め、該案内枠に形成する受入口を第１の入賞口に連通させると共に、昇降台が上昇位置にあるとき球受部を上記受入口に臨ませる一方、上記昇降台が下降位置に達したとき前記球受部を前記案内枠に設ける排出口に臨ませることを特徴としたパチンコ遊技機の入賞装置を提供することにある。
【００１５】
また本発明は、前記昇降台には横長の連結孔を形成し、他方連動杆の内端には上記連結孔に滑合する連結突起を設けて相互に連結し、昇降台の上下動において前記連結突起を前記連結孔内で左右方向に移動自由にしてなることを特徴としたパチンコ遊技機の入賞装置を提供することにある。
【００１６】
また本発明は、前記第１の入賞口に対して第２の入賞口を複数個設置し、上記第１の入賞口に連通する１つの昇降台に対して各第２の入賞口に対応して設置する複数個の連動杆の各内端を該昇降台にそれぞれ連結し、該昇降台の下降に伴わせて前記複数個の連動杆の各外端を一斉に上昇させ、それぞれに連結する各第２の入賞口の開閉手段を開放作動することを特徴としたパチンコ遊技機の入賞装置を提供することにある。
【００１７】
更に本発明は、前記複数個の第２の入賞口は第１の入賞口を間に左右に配置し、第１の入賞口に連通させる昇降台と、この昇降台と左右の第２の入賞口に備える開閉手段との間に個別に連動杆を介挿して個々に連結し、上記昇降台の上下動に伴わせて前記各連動杆の外端を上下揺動させ、前記左右の第２の入賞口の開閉手段を一斉に開放作動させることを特徴としたパチンコ遊技機の入賞装置を提供することにある。
【００１８】
また本発明は、前記第１の入賞口に対して左右に配置する第２の入賞口は上下に段差を設けて配置すると共に、該左右の入賞口の開閉手段に連結する各連動杆を前記上下の段差と同じ段差を設けて配置し、核連動杆の内端と前記第１の入賞口に連通して設ける昇降台とを個別に連結することを特徴としたパチンコ遊技機の入賞装置を提供することにある。
【００１９】
上記本発明を更に詳述すると、本発明は第１の入賞口に飛入する入賞球によって第２の入賞口の開閉手段を開閉作動し、入賞を可能にするパチンコ遊技機の入賞装置にあって、前記第１の入賞口と第２の入賞口との間に、上下動自由に支持されて上昇位置にあるとき、前記第１の入賞口に連通して入賞球を受け入れる球受部を備える昇降台と、長さの途中を軸承して一方の揺動する内端を前記昇降台に、他方の外端を前記第２の入賞口の開閉手段に各連結して両者間に渡る連動杆とからなる連動機構を介挿し、前記第１の入賞口に受けられ入賞球となったパチンコ球（以下、単に「球」と記す。）を第２の入賞口の開閉手段を開放作動する連動杆に対して直接作用させることなく、上下動する前記昇降台を介することで間接的に作用させ、これによって球の重量を常に一定の重さとして前記連動杆に作用させ、開閉手段を操作できるようにしたことにある。
【００２０】
上記昇降台は、第１の入賞口の後方に置いて上下に自由に摺動するように支持される。この支持の方法は自由に選択されるが、上下に摺動する際にこれに連結される連動杆の揺動を妨げる支持方法は排除されることになる。従って、実際には連動杆の端部の差し入れが可能であって、且つ昇降台に伴って上下の移動が可能なスリットを備えた案内枠に収める方法、乃至は昇降台自体に縦向きの案内溝を形成してこれに支持軸を滑合し、この支持軸を案内に誘導する方法等が選択されることになる。
【００２１】
この昇降台は、第１の入賞口からの球を受け入れる球入口と保持する球受部、そして下降位置に達したとき、受け入れた球を放出するための球出口を備えることになるが、このとき上記球受部の球入口は昇降台が上昇位置にあるとき、第１の入賞口に連通する位置に開設されればよく、昇降台の形状に合わせて自由に設定することができる。従って、例えば昇降台を縦長に形成した場合には、上記の位置が確保される限りにおいて球入口、そして球受部は昇降台の上部に形成されても、また下部に形成されてもよい。
【００２２】
また上記のことから本発明は、前記第１の入賞口に入賞した球を昇降台に受け、この昇降台の下降によって連動杆を揺動させ、第２の入賞口の開閉手段を作動させる構造とすることから、昇降台の形状を選択することによってこの昇降台と連動杆との連結位置を自由に選択することが可能となる。これによって、実際に球が下降する位置から離れたところで連動杆を揺動させることも可能になっている。
つまり、本発明は連動杆に直接球を接触させることなく、昇降台を介して作用させる構造に係ることから、連動杆を入賞球の落下範囲、言い換えれば第１の入賞口に入賞した球が落下する領域に連動杆の一端を臨ませることなく昇降台が上下動する範囲に臨ませ、これに連結すれば、揺動させることができることになる。
【００２３】
従って、本発明においては、前記連動杆の位置を自由に設定することができるので、第１の入賞口に対して第２の入賞口を上方に設定することも可能であり、従って、従来にない入賞装置を設計することが可能になっている。
そして、この第１の入賞口に対して第２の入賞口を上方に設置できることによって、前述したように、例えば第２の入賞口を上下に複数個並べて設置することも、また中央部に第１の入賞口を設置し、その左右に上下高さを違えて複数の入賞口を設定することも可能であり、形態を種々変えた各種の入賞装置を設計することを可能にする。
【００２４】
ところで、前記第１の入賞口を通して上記昇降台に受けられた球は、この昇降台の球受部の中で仮に動くことがあっても、昇降台との関係では常に一体となることから昇降台に内端を連結する連動杆は、球の動きには関係なく常にこの昇降台を含む球の重量の全てを受けることになる。つまり、上記昇降台が上昇位置から下降位置に移動し、連動杆を揺動する間、球は昇降台の球受部に収まった状態にあることから連動杆に対しては常に一定に作用することになり、その動作を安定させることができるのである。
【００２５】
そして、本発明は上記昇降台を介挿することによって、これに連結する複数個の連動杆に対しても常に安定した揺動を与えることが可能であることから、前述複数個の連動杆を介して複数個の第２の入賞口に備える各開閉手段に対して同時に、且つ安定的に開放操作することができ、多くの第２の入賞口を備えた入賞装置を作ること可能である。
【発明の効果】
【００２６】
以上説明のように本発明は、第１の入賞口に入賞した球によって第２の入賞口の開閉手段を作動させるに当って、両入賞口間に介挿する連動杆に上記球を直接接触させ、球の重量を作用させることなく、昇降台を介して間接的に接触させ、作用させる構造としたことから常に安定的に球の重量を連動杆に作用させることができ、従って確実に第２の入賞口に備える開閉手段を作動操作できる利点がある。
【００２７】
また本発明によれば、第１の入賞口に入賞した球とこの球の重量によって揺動される連動杆との間に昇降台が介挿され、この昇降台の上下動によって連動杆を揺動操作する構造とすることから、落下移動する球の移動範囲に連動杆が臨まなくともよく、両者を連動する関係に置くことができるため、第１の入賞口に対して第２の入賞口を左右及び上下の位置におくことができ、従来の入賞球の重量を利用して第２の入賞口を操作する構造の入賞装置にはない極めて設計の自由度の高い、しかも変化に富んだ入賞装置を提供することができる。
以下、本発明を、実施の態様に従って更に詳述し、その特徴とするところを明らかにする。
【発明を実施するための最良の形態】
【００２８】
次に、本発明の実施の形態につき図示する実施例に基づき詳述し、本発明の特徴とするところを明らかにする。
【実施例１】
【００２９】
添付する図面は、本発明の一実施例を示したものであり、図１は本発明に係る入賞装置を遊技盤に組付けた使用状態を説明する正面図であり、図２は入賞装置の前面側からの斜視図、図３は背面側からの斜視図である。図４は入賞装置を分解した状態の前面側から見た斜視図、図５は入賞装置を分解した状態の背面側から見た斜視図である。そして、図６及び図７は図４の一部を拡大して示した斜視図であり、図８、図９は図５の一部を拡大して示した斜視図である。
【００３０】
図面において、符号１はパチンコ遊技機に組付けられる遊技盤、２はこの遊技盤１の前面に止着したバンド、３はバンド２の囲みによって形成される遊技部４の中央部に設置した本発明に係る入賞装置である。そして、５‥‥はこの入賞装置３の下方に上下二段に配列した通常入賞口を示し、上段に５個、下段に３個の通常入賞口を配置して前記入賞装置３のいずれの飛入口にも入賞することのなかった打球がこれらの通常入賞口５に向うようにしてある。
尚、遊技部４には図示しないが適所にバンド２によって形成される打球誘導路６を通して打ち出される打球を受け振り分ける障害釘が植設される。
【００３１】
入賞装置３は、逆Ｔ字形をなす取付板７を中心にしてこの取付板７の中央部に開設する開口部８に背後から箱枠体９を、そして前面側から開口部８の縁を飾る前飾り枠１０を止着し、取付板７の左右に延びる翼片部７ａ，７ａには並列状に２個づつの飛入口１１を開設し、この飛入口１１の前面に打球を受けるポケット形の受部１２を、またこの飛入口１１の背後に受枠１３を取付け、更にこの受枠１３の内部に前記受部１２に飛入する入賞球によって転動する可変扉１４を備える。
その一方、前記箱枠体９の内部には上下に揺動するステージ板１５と、このステージ板１５の下方に設けられる第２ステージ板１６、及びステージ板１５の後方に設置される振り分け部材１７が組込まれている。
【００３２】
前記箱枠体９は、取付板７の開口部８の形状に合せて前面を開放した箱形をなし、前面の開口部１８の上下左右の四隅には透孔１９を形成して、この透孔に通すビスを取付板７のネジ受部２０にねじ込むことによって一体に止着される。
一方、前飾り枠１０は取付板７の透孔２１を通してこの前飾り枠１０の背面に設けるネジ受部２２にビスをねじ付けることで止着され、取付板７の前面から突き出た状態に取付く。
【００３３】
上記前飾り枠１０は、頂部に飛入口２３を有し、この飛入口２３を取付板７の孔２４を通して箱枠体９の頂部に設ける球通路２５に連通させ、また、左右対称の位置に前記箱枠体９の内部、つまり入賞室２６に打球を通す飛入口２７，２７を開設する。更に下方には特定入賞口２８を中央に置き、その左右に普通入賞口２９，２９を置いてこれらの入賞口を横一列に配置している。
【００３４】
前記ステージ板１５は、箱枠体９の入賞室２６の高さの略中間の位置に水平な状態で収められ、前縁部１５ａの両端を支軸３０，３０を介して上下方向に揺動自由に支持されるようにしてある、ここでは、上記前縁部１５ａの両端に上記支軸３０，３０を植設してこの支軸を前記前飾り枠１０の高さの途中に形成する溝３１，３１に嵌め付けることによって支持するようにしてある。
更に説明すると、ここに示す上記支軸３０，３０は、箱枠体９の左右の側壁部に枢着してステージ板１５を揺動自由に支持するようにしてもよいが、この実施例では実質的に箱枠体９の一部となる前記前飾り枠１０を支軸３０，３０の支持体とし、取付板７を中間にして箱枠体９と前飾り枠１０の取付けを利用してこの支軸３０，３０を軸承する構造を採用しているのである。
【００３５】
つまり、ここでは前述の様に前飾り枠１０に形成する溝３１，３１に対して後方から支軸３０，３０を挿入し、次に箱枠体９の前縁部から突き出す片３２，３２を差し入れて各溝３１，３１の前端部と片３２，３２の先端との間で支軸３０，３０を挟むことで固定する構造にしてある。そして、前述のように取付板７に対して箱枠体９及び前飾り枠１０を前述の様にビス止めすることで支軸３０，３０を安定的に固定するようにしているのである。
【００３６】
ところで、前記ステージ板１５は、上面の前半部に左右対称の浅い誘導凹部３３ａ，３３ａを形成し、後半部に半円弧状をなす段差を設けた後縁部１５ｂに向って徐々に深くなる誘導凹部３３ｂを形成する。そして、この後縁部１５ｂに横に貫通する透孔３４を穿ち、この透孔３４に連結軸３５を挿通してその両端を後縁部１５ｂの左右両端から突き出るようにしている。
この連結軸３５はステージ板１５を上下に揺動するための動力源となる後述の駆動機構３６に連結するためのものであり、駆動機構３６に組込まれる減速装置付きモータ３７によって作動される。
【００３７】
駆動機構３６は、図１２乃至図１４に示したように金属板を曲折し形成したフレーム３８を中心に組立てある。図示するようにフレーム３８の外側に固定したモータ３７の駆動軸３９に設けるギヤ４０を第２駆動軸４１のギヤ４２に噛合し、この第２駆動軸４１を回転するようにしてあり、この軸４１の両端に軸着するカム板４３，４３を回転するようにしてある。
【００３８】
カム板４３，４３は、フレーム３８に軸承する回転軸４４の両端に固定する揺動板４５，４５の滑合台４６に滑合し、カム板４３，４３の回転によって滑合台４６を上下動させ、前方に突き出す揺動腕４７を上下に揺動させる。
上記左右の揺動腕４７，４７は、前端に長孔４８，４８を穿ってこの長孔に前記連結軸３５の軸端を滑合させ前記ステージ板１５と連結してある。従って、前記揺動板４５，４５の揺動運動がこの連結軸３５を介してステージ板１５に伝えられることになる。
尚、減速装置付きのモータ３７は徐回転することによって前記カム板４３，４３をゆっくり回転させ、揺動板４５によるステージ板１５の揺動をゆっくり行うことになる。
【００３９】
上記駆動機構３６は、フレーム３８の前縁部に設ける取付片４９を箱枠体９の背面板９ａに添わせ、孔５０に通すビスをネジ受部５１にねじ付け、更に孔５２に通すビスを箱枠体９の背面から突出するネジ受ボス５３にねじ付けることによって一体に固定される。
【００４０】
図中、５４は上記モータ３７によって振り分け部材１７を駆動するため前記駆動機構３６内に軸承した回転軸である。５５はこの回転軸５４に軸着し、前記ギヤ４０に噛合させたギヤであり、５６は振り分け部材１７を押上げるため回転軸５４に軸着したカム板である。
【００４１】
振り分け部材１７は、ここではペンギンの形態に形成してあり、２本の脚を下方に突き出し、この２本の脚の間にパチンコ球の直径を超える間隔を設けて仕切り突起部１７ａ，１７ａとしている（図１５〜１７参照）。
この振り分け部材１７は背面部から突き出す止めボス５７を箱枠体９の背面板９ａに縦長に形成する案内孔５８を通して後方に突き出し、この止めボス５７の後端部に滑合部材５９を固定して上記背面板９ａに取付けてあり、上記縦長の案内孔５８の長さの範囲において上下方向に移動することができるようにしてある。
【００４２】
上記滑合部材５９は、後方に向けて腕６０を水平に延ばし、この腕を前記回転軸５４に軸着したカム５６の上に滑合載置し、前記振り分け部材１７の重量を受けて常時接触させて支える構造にしてある。
従って、前記モータ３７の駆動によって回転軸５４が回転し、カム板５６が回転すると、滑合部材５９が上下動して振り分け部材１７がこれにともなって上下動することになる。
【００４３】
上記振り分け部材１７は、図示するようにステージ板１５の後端部１５ｂの直上に位置して、最下降位置（図１５，１６を参照）にあるとき、仕切り突起部１７ａ，１７ａを上記後端部１５ｂに最接近させることになり、このとき後端部１５ｂの横幅全体を３分割して入賞球の通過路を３つのルートに分けるものとなっている。一方、最上昇位置（図１７を参照）に達したときには、上記突起部１７ａ，１７ａをステージ板１５の後端部１５ｂから上昇退避させて上記３分割状態を解消するものとしている。
【００４４】
一方、前記第２ステージ板１６は、緩く湾曲した底部６１の両側部から側壁６２，６２を起立し舟形に形成した枠体の内部に波形に形成した上下二段の振り分け台６３，６４を前後にずらして配置し、形成してある。この第２ステージ板１６は前記箱枠体９の内部に前方から嵌め入れ、前記側壁６２，６２の後端部を箱枠体９に設ける取付部６５，６５に当接し、この取付部に通すビスのねじ付けによって箱枠体に一体に組付けるようにしてある。
【００４５】
この第２ステージ板１６は、上記組付けによって前記ステージ板１５の下方に設置され、前記ステージ板１５の後端部１５ｂを通して落下する入賞球Ｐを後端部１６ｂに受けるようにしてあり、この第２ステージ板１６に送られた入賞球Ｐは、先ず後方の振り分け台６４上に落下し、この振り分け台６４の山谷によって左右に振り分けられながら前向きの傾斜に沿って前方の振り分け台６３へと誘導され落下し、再び同様の振り分けが行なわれた後、最終的にこの振り分け台６３のいずれかの谷部から前縁部１６ａを越えて前方に向けて転がり落下する。
【００４６】
上記第２ステージ板１６の前側に位置する振り分け台６３は、２つの山と３つの谷を有し、この３つの谷を前記特定入賞口２８と普通入賞口２９，２９に臨ませている。
即ち、箱枠体９は取付板７の背面側に固定したとき、取付板７の開口部８の下方に３個揃えて形成する穴６６の上方に上記振り分け台６３の３つの谷が臨むようにしてある。そして、この取付板７の前面側に固定される前記前飾り枠１０がこれに設ける特定入賞口２８と左右の普通入賞口２９，２９を上記穴６６に連通するようにして前記箱枠体９と前飾り枠１０を取付板７に取り付けたとき、自動的に振り分け台６３の３つの谷が上記特定入賞口２８と普通入賞口２９，２９とに臨み、向い合って連通するようにしてあるのである。
【００４７】
以上の構成から、ステージ板１５から第２ステージ板１６に落下した入賞球Ｐは前後の振り分け台６４，６３を次々と通過することによって振り分けられると共に、下段の振り分け台６３のいずれかの谷部に入った入賞球Ｐは、その前方に開口する特定入賞口２８又は普通入賞口２９に入賞することになる。
ところで、上記特定入賞口２８と普通入賞口２９に入賞した入賞球は、それぞれの開口部に設置するスイッチ６７，６８によって検出される。そして、取付板７の下端に前記穴６６に連続させて設ける樋形の誘導路６９，７０に誘導される。
上記普通入賞口２９に受けられて誘導路７０に通された入賞球は、そのまゝ入賞装置の外に放出され、特定入賞口２８に入賞した球は誘導路６９を通って前記箱枠体９の背後に備える後述する本発明に係る連動機構７１へと誘導されることになる。そして、前記取付板７の両翼片部７ａ，７ａに設ける飛入口１１に設置する開閉手段のロック機構７２を作動することになる。
【００４８】
次に、以上の構成において、遊技盤１の遊技部４に設置された本発明入賞装置３に対して入賞球Ｐが飛入し、この入賞球Ｐが前記特定入賞口２８若しくは普通入賞口２９に達するまでの過程を各部の作動と共に説明すると、遊技部４に打出された球Ｐは、遊技盤１の前面に突き出す前飾り枠１０の飛入口２７に達することで、箱枠体９の内部、つまり入賞室２６に飛び込むことになる。
このとき、入賞球Ｐは飛入口２７に設置するスイッチ２７ａによって通過を検出され、図示しない主制御装置に検出信号が送られ、図示しない賞球払出装置から遊技者に賞球が払い出されることになる。
【００４９】
入賞室２６に飛入した入賞球Ｐ（以下、単に「球Ｐ」と記す。）は、ステージ板１５の前縁部１５ａに近い上面に落下し、ステージ板１５が静止状態にあるときには、そのまゝ滞留するか、傾斜に従って上面を転がり移動することになる。
このとき、球Ｐは誘導凹部３３ａ，３３ａに誘導されて溝の底に向かって転がり、更にステージ板１５が後傾姿勢に傾くときには、これに誘導されて後方の誘導凹部３３ｂへと流され、後縁部１５ｂに向けて転がることになる。
【００５０】
このときの球Ｐの転がりは、上記誘導凹部３３ａ，３３ｂの溝の深さに影響されて底に向けて転がることになるが、ステージ板１５の傾き加減によって凹部の底に達する以前に後縁部１５ｂに向けて直線的に転がることもあり、様々な転がりを展開することになる。
この転がりの変化は、球Ｐの振り分けを実行するものであり、後縁部１５ｂの不特定の位置から落下して次に備える前記第２ステージ１６へと誘導されることになる。
【００５１】
このステージ板１５は静止状態において球Ｐを転がす一方、駆動機構３６による揺動によって傾きが変えられることによって、上記球Ｐの転がり速度を変え、更にはこの揺動運動に振り分け部材１７の上下運動が加わることによって落下のルーとが決定される等して更に複雑な変化が付与されることになる。
【００５２】
図１５から図１７は、ステージ板１５とこれを揺動する駆動機構３６、及び振り分け部材１７との連動関係を説明し、入賞球Ｐの動きを解説したものである。
図１５（Ａ），（Ｂ）は駆動機構３６のカム板４３の突起部４３ａが下向きに位置して滑合台４６を押し下げ、軸４４を支点に揺動腕４７を跳ね上げ、これによってステージ板１５をやゝ前下り状態にした場合で、ステージ板１５上の球Ｐはやや前縁部１５ａ側に転がり誘導凹部３３ａ，３３ｂの底部に流れてここに止まることになる。
【００５３】
この状態において、振り分け部材１７はカム板５６の突起部分が下向きにあるため、最下降位置にあって仕切り突起部１７ａ，１７ａをステージ板１５の後縁部１５ｂに接近させ、球Ｐの落下ルートを３つに分割する。
尚、ステージ板１５上の入賞球Ｐは凹部３３ａ，３３ｂの底に流れることによってこの状態では後縁部１５ｂに向けて流れることはない。
【００５４】
図１６（Ａ），（Ｂ）は駆動機構３６のモータ３７の駆動によってカム板４３が回転し、突起部４３ａが上向きになることによって揺動板４５の滑合台４６が上がり、これに伴ってステージ板１５が後傾姿勢を強めた場合を示している。
このとき、ステージ板１５上に落下した球Ｐは誘導凹部３３ａ，３３ｂを誘導されながら後縁部１５ｂに向けて転がり、第２ステージ１６へと落下することになる。
そして、このとき振り分け部材１７はカム板５６の突起部が下向きの状態にあることから下降姿勢にあって突起部１７ａ，１７ａをステージ板１５の後縁部１５ｂに近付け、３つのルートに仕切った状態を維持することになる。
【００５５】
次に、図１７（Ａ），（Ｂ）はカム板４３の突起部４３ａを上向きにして揺動板４５の滑合台４６を上げ、ステージ板１５を後傾斜の状態に保持したまゝカム板５６の突起部を上向きにして滑合部材５９の腕６０を押し上げ、振り分け部材１７を上昇させた状態を示している。
この振り分け部材１７の上昇によって突起部１７ａ，１７ａはステージ板の後縁部１５ｂから上昇し離れて３つのルートの分割状態が解除され、入賞球Ｐは単にステージ板１５による振り分けに従って転落することになる。
【００５６】
ここで、揺動板４５に連結するステージ板１５と、振り分け部材１７とは駆動機構３６に備えるカム板４３，５６を介して１つのモータ３７によって駆動される構造にしてあることから、連動する関係に置いているが、各カム板４３，５６は間に介挿するギヤ４０，４２，５５の比率を変えることで異る回転にしてあり、これによってステージ板１５の揺動と振り分け部材１７の上下動が同調しないようにして、振り分けの変化を更に複雑なものにしている。
尚、ステージ板１５の揺動運動と振り分け部材１７の上下動を同期させることを妨げるものではなく、またこれらの動力源、つまりモータ３７を別にして駆動系統を独立させ個別に作動させることを妨げるものでもない。
【００５７】
上記ステージ板１５の後縁部１５ｂを落下した球Ｐは、次に第２ステージ板１６の後縁部１６ｂに受けられ、前述したように２段の振り分け台６４，６３を通して左右に移動し振り分けられながら前縁部１６ａに沿って横に並ぶ特定入賞口２８，普通入賞口２９のいずれかに入賞し、ここでスイッチを通過して検出され、誘導路６９，７０のいずれかに送られることになる。
【００５８】
前記連動機構７１は、上記特定入賞口２８に入賞して誘導路６９に導かれる入賞球Ｐを受け入れ、この球の重量で前記飛入口１１‥‥に組み込まれるロック機構７２を作動するものであって前記特定入賞口２８は、本発明における第１の入賞口を構成する。そして、上記入賞した入賞球Ｐを利用して第２の入賞口、ここでは前記飛入口１１を閉じるゲートを解放し、これによって入賞の機会を増やし賞球放出数を増加するための手段として作用する。
この連動機構７１は、第１の入賞口に相当する前記特定入賞口２８（更に言えば、前記入賞室２６を含む特定入賞口２８）に入賞した球Ｐの重量を利用して第２の入賞口たる前記飛入口１１を閉塞する可変扉１４を開放してこの飛入口１１に対する打球の入賞を可能にする手段であり、両入賞口を連動する装置として介挿されている。
【００５９】
次に、この連動機構７１について詳述する。
連動機構７１は、前記誘導路６９からの入賞球Ｐを受けてその重量によって下降する昇降台７３と、この昇降台７３の上下動を第２の入賞口のロック機構７２に伝える連動杆７４から構成されている。
上記昇降台７３は、前記箱枠体９の背面板９ａの背面部に止着する案内枠となるカバー７５に収めてあり、このカバー７５の内部を上下方向に摺動自由にしてある。
【００６０】
上記カバー７５は昇降台７３の案内手段であって上半の縦の部分７５ａを前記背面板９ａに添わせ、孔７６に通すビス（図示せず）で固定し、下半の横の部分７５ｂを前記誘導路６９の後端に臨ませる（図２０を参照）。
一方、昇降台７３は上の部分７３ａを前記カバー７５の縦の部分７５ａに上下方向に摺動自由に嵌め入れ、下の部分７３ｂを前記カバーの横の部分７５ｂに収めるようにしてあり、更に前記カバー７５を固定するビスを上の部分７３ａに形成する縦長孔７７に通して昇降台７３がこの縦長孔７７の長さの範囲で上下に移動できるようにしてある。
【００６１】
上記昇降台７３は、下の部分７３ｂに前方に向けて球入口１００ａを開口する球受部７８を備え、昇降台７３が上昇位置、つまりカバーの固定用ビスが縦長孔７７の下端に当接するとき、前記誘導路６９の後端に臨んで連通し、この誘導路６９を通して送られる入賞球Ｐをこの球受部７８に受け入れることができるようにしてある。
【００６２】
一方、前記連動杆７４は、この実施例では左右対称となるよう一対備えてあり、各連動杆７４は長さの途中に設ける軸着用の中空軸７９を前記取付板７の背面に設ける軸受部８０に支軸８１を介して回動自由に軸着し、それぞれ左右の両端が上下に揺動できるようにしてある。
そして、この連動杆は内側の端部、つまり内端に軸部８２を突設し、この軸部８２を前記昇降台７３に横向きに形成する連結用長孔８３に滑合させて連結してあり、また外側の端部、つまり外端にはバランスを取るための重錘ピン８４を孔８５に嵌め込んで取り付けてあり、更にこのピンの先端を後述するロック機構７２の係止部材８６に係合するようにしてある。
【００６３】
上記バランスを取る重錘ピン８４は、前記昇降台７３に入賞球Ｐが無いとき、連動杆７４の外端を下げ、また前記球受部７８に入賞球Ｐが入ったとき上昇して前記係止部材８６を押上げるものとなっている。
つまり、この重錘ピン８４は昇降台７３に入る入賞球Ｐの有無に関係して連動杆７４を揺動するもので、昇降台７３が上昇位置にあって球受部７８に入賞球Ｐが入り、この球Ｐの重量を受けて下降に転じるとき、支軸８１を支点に揺動し、重錘ピン８４側の外端を跳ね上げて係止部材８６を押上げ、ゲートとなる可変扉１４を解放するのである。
【００６４】
図２７乃至図３６は、連動機構７１の連動杆７４の揺動に伴ってロック機構７２の飛入口１１を開閉する可変扉１４の作動を説明する解説図である。以下、これらの図面を中心に連動杆７４とロック機構７２との関係を説明する。
尚、本実施例では取付板７の左右の翼片部７ａ，７ａに２個づつの飛入口１１を左右対称となるように開設し、それぞれの飛入口１１に受部１２と枠部１３、そして可変扉１４を備え、更にこの可変扉１４の自由な動きを制御する前記係止部材８６をそれぞれ１個づつ備えるものとしている。
【００６５】
飛入口１１に備えられる可変扉１４は、前後方向に長さを有する矩形の肉厚の板として形成してある。その長さの略中央部に左右に貫く軸受孔８７を穿ち、この軸受孔８７に支軸８９を通して受部１２の後縁から突き出す軸受部９０，９０に軸承させ、回転自由に支持している。
上記受部１２は、打球を受けるポケットの役割をもっており、前面の板部１２ａの左右両側から後方に向けて側壁１２ｂを対向状に延設し、この側壁１２ｂに前記軸受部９０を突設している。そして、この側壁１２ｂの後縁を取付板７の前面に当接し、ねじ止めすることで取付板７の翼片部７ａの前面に取付いて飛入口１１の前方を被うものとしている。
【００６６】
可変扉１４は、この受部１２を取付板７に取付ける前に軸受部９０，９０に支軸８９を支持させて飛入口１１内に持込み、受部１２の取付けを利用してこの飛入口１１に取付ける。
上記受部１２は取付いた状態において、取付板７との間に入賞球Ｐを通す筒状をなす上下の空間を確保すると共に、この空間内に向けて前記可変扉１４の先端部分を受け入れられるようにしてある。
【００６７】
そして、この可変扉１４は、前記軸受孔８７の前方に重錘９１を埋設することで常に前方に転倒するようにバランスが取られ、後端部には可変扉１４の上面に受けてその勾配に従って後方に転がる入賞球Ｐを受ける突片９３が立ち上り状に設けてある。
尚、この可変扉１４は、図３９に示したように支軸８９を支点に前端部を跳上げたときには飛入口１１を閉ざし、これに伴って受部１２を筒状に開放して上方からの飛入する打球をそのまゝ通過させることになる。
そして、図４０に示したように可変扉１４が水平に転倒したときには、後端部の突片９３を受枠１３から突出するストッパー９４に当接して水平姿勢に保持し、この状態において飛入口１１を開放すると同時に、可変扉１４の先端部を受部１２の内部に突き入れて上方からの打球の受け取りを可能にし、この球を上面を転がして受枠１３の内部に持ち込むことができるようにしてある。
【００６８】
可変扉１４に埋設する前記重錘９１は、可変扉１４が水平姿勢（図４０を参照。）にあるとき、また跳上がって起立姿勢（図３９を参照。）にあるとき、それぞれの姿勢に安定させるためのものであり、更に水平姿勢にあるときには前記ストッパー９４と突片９３との衝合によって前倒れ状態とならないよう確実に支持され、また前記起立姿勢に変換したときには前記係止部材８６が可変扉１４に係合して任意に水平姿勢に変換するのを阻止される。
【００６９】
次に、図中９５は、可変扉１４の軸受孔８７の位置より後方の一側縁に沿って起立したロック機構７２の構成部品の一つである係合片である。
この係合片９５は前縁９５ａを踏板の上面に対して直角に起立させ、この前縁９５ａの上端から後方に弧状縁９５ｂを形成して全体として扇状をなしており、前記可変扉１４が起立姿勢にあるとき、上記前縁９５ａにロック機構７２の構成部品の一部である係止部材８６を掛け止め、水平姿勢への変換を阻止することになる。
【００７０】
上記係止部材８６は、略Ｌ字形をなし、長さの中央の屈曲部に設ける軸受部９６に翼片部７ａの背面に植設する支軸９７を通して回動自由に枢着してあり、一端には前記ピン８４に滑合する湾曲した滑合部９８を備え、他端には前記可変扉１４の係合片９５に係合する係止片９９を備える。
この係止部材８６は、支軸９７によって軸承され、前記滑合部９８を連動杆７４の先端に設ける重錘ピン８４を跨ぐように臨み、他端の係止片９９を可変扉１４の後部側面に臨ませて係合片９５に常に接触するようにしている。
【００７１】
つまり、係止部材８６は支点となる屈曲部を境にして長く延び出る滑合部９８が他方の係合片９５側より重量が大になるように設定して、支軸９７を中心にして滑合部９８側が常に下降するようにバランスを取っている。これによって下向きに突き出す係止片９９が可変扉１４の係合片９５に向けて突き出すように付勢されているのである。
【００７２】
尚、この実施例では併設される２つの飛入口１１，１１にそれぞれ可変扉１４，１４を備え、左右に揃えることから、この両可変扉１４，１４の中間位置に連動杆７４の一つの重錘ピン８４を臨ませ、このピン８４に向けて左右から各係止部材８６，８６の各滑合部９８を架け渡すようにしてあり、これによって左右の係止部材８６，８６が左右方向から対称に臨むようにしてある。
そして、この関係は左右の翼片部７ａ，７ａに形成するそれぞれ対をなす飛入口１１，１１においても同一のものにしてある。即ち、左右それぞれにおいて２つの係止部材８６，８６が１本の重錘ピン８４を挟んで左右から滑合部９８，９８を延ばし、滑合するようにしてあるのである。
【００７３】
本発明におけるロック機構７２は、上述の様に係止部材８６と可変扉１４に形成する係合片９５によって構成され、係合片９５と係止部材８６の係止片９９との係合関係によって可変扉１４の回動を規制し、開閉動が制御されるようにしてある。
次に、この関係を昇降台７３，連動杆７４を含む連動機構７１の動作を伴わせて更に詳述することにする。
【００７４】
前述したように入賞室２６を通して特定入賞口２８（第１の入賞口）に転入した球Ｐは、誘導路６９を通して後方に待機する昇降台７３の球受部７８に入ることになる（図２０を参照）。
昇降台７３は、左右に延びる２つの連動杆７４，７４の先端に備えるピン８４，８４とバランスして、球Ｐを受け取らない状態では支軸８１，８１を支点とする連動杆７４の押し上げによって上昇位置にあり（図１８、図２１を参照）、球受部７８の前方に向いた球入口１００ａを前記誘導路６９に臨ませることになる。
そして、この球受部７８に球Ｐが転入し、受け入れると（図２０を参照）、前記重錘ピン８４，８４を押上げながら自らは下降し、最下降位置に達したとき、この球Ｐを案内枠であるカバー７５の下端を通して球受部７８の後部に開設する球出口１００ｂから系外に放出することになる（図２５を参照）。
尚、昇降台７３はこの球Ｐの放出に伴って重量を落すことになることから、重錘ピン８４，８４の重量を受けて再び上昇し、次の入賞球のため待機することになる。そして、左右の連動杆７４，７４は重錘ピン８４，８４を下降位置に戻し、復元することになる。
【００７５】
昇降台７３の下降により連動杆７４の先端に設けられる重錘ピン８４，８４が跳ね上がり上昇すると、このピン８４に滑合する係合部材８６，８６の各滑合部９８，９８を上昇させることになり、それぞれの支軸９７を支点に係合部材８６，８６を傾けて他端の係止片９９，９９を可変扉１４，１４の係合片９５，９５から離すことになる（図３０、図３１を参照）。
これによって自由になった可変扉１４は、その重錘９１の重量を受けて支軸８９を支点に前方に向けて転倒し、後端の突片９３をストッパー９４に当接させて前端部を受部１２の内部に突き出して飛入口１１を開放することになる（図３７を参照）。
【００７６】
図３１〜図３３及び図４０は可変扉１４が水平姿勢にある状態を示しており、このとき飛入口１１は開放した状態になる。尚、図３１〜図３３は可変扉１４が水平姿勢にあるときの連動機構７１の連動杆７４とロック機構７２の係止部材８６の関係を説明するものである。
次に、この状態において受部１２に打球Ｐが飛入すると、球Ｐは可変扉１４の前端部に受け止められ、この上面の傾斜に誘導されて飛入口１１に入り可変扉１４の後端部に移動して突片９３に止められる。そして、この球Ｐの移動によって可変扉１４の重心が後方に移動することによって可変扉１４は支軸８９を支点に後向きに転倒し、起立姿勢に変換することになる（図３６を参照）。
【００７７】
図２７〜図３０及び図３９は可変扉１４の起立姿勢時を示しており、可変扉１４の前端部の跳ね上りによって受部１２は内部を上下に貫通させた状態になると同時に、飛入口１１は閉ざされることになる。
従って、この状態において受部１２に飛入した打球Ｐは受部の中空部を通過し、そのまゝ遊技部４に戻され、その他の入賞口５に向けて落下することになる。
【００７８】
一方、この可変扉１４の起立姿勢への変換に当って係合片９５の外側面に接触していた係止部材８６の係止片９９は、上記係合片９５が可変扉１４の後端部の下降によって下に退くため自由になり、可変扉１４側に支軸９７を支点にして突き出すことになる。
前述したように、連動杆７４の重錘ピン８４は昇降台７３から入賞球Ｐが放出されると、昇降台単独の重量より重くなるので下降位置に直ちに復帰することになるが、この結果、前記係止部材８６は滑合部９８を空中に突き出した状態になる。
このようなことから、係止片９９が支えを失うと、係止部材８６は支軸９７を支点に重量の重い滑合部９８を降下させることになり、係止片９９を可変扉１４側に突き出すことになる。
【００７９】
上記係止片９９は、先端の縁１０１を弧状に形成してあり、可変扉１４が跳上ると、この先端の縁１０１を係合片９５の前縁９５ａに滑らせるようにして可変扉１４側に突き出すことになる（図２９を参照）。そして、この先端の縁１０１の一端に突設する突起１０２を受枠１３の側面に衝合させ、上記突き出し量を規制する。
【００８０】
可変扉１４と、この可変扉１４を制御する係止部材８６は対をなしており、隣接するものとは無関係にして独立して作動する。従って、隣接して設けられる２つの飛入口１１、１１における各可変扉１４、１４は打球の飛入があった方の可変扉１４だけが水平姿勢から起立姿勢に変換し、その飛入口１１を閉ざすことになり、他方の可変扉１４は開放したままの状態に残されることになる。
図３５，図３６はこの状態を示したものである。図の中で左方のものは打球が飛入して可変扉１４が起立姿勢に変換し、右方のものは打球の飛入がないことによって水平姿勢を保持した状態を示している。
【００８１】
この状態において、左方の可変扉１４は、後端部を下げることによって係合片９５が下り、その側面に当接していた係止片９９が支えを失うことによって可変扉１４側に滑合部９８の重量を受けて突き出すことになる。そして、これに伴い係合片９５の前縁９５ａに係止片９９の弧状の縁１０１が滑合し、重錘９１の重量を受けて水平姿勢に戻ろうとする可変扉１４をロックすることになる。
【００８２】
可変扉１４の後端部に突設した突片９３は、可変扉１４が起立姿勢に変換するまで上面に受けた入賞球Ｐが落下しないように保持する役目を持ち、可変扉１４が確実に起立し、同時に前記係止片９９が係合片９５をロックしたとき、球Ｐは突片９３の傾斜に従って受枠１３の後壁下端に設ける出口１０３（図３９参照）から放出されることになる。
一方、可変扉１４を起立姿勢にロックした係止部材８６は、係止片９９が支えを失うことによって重量の大な滑合部９８を支軸９７を支点に下げ、先に下降位置に待機する連動杆７４の重錘ピン８４の上に重なり、次の押し上げに備えることになる。
【００８３】
この様にして左方の飛入口１１における可変扉１４及び係止部材８６の動きに対して、未だ打球の飛入のない右方の飛入口１１の可変扉１４と係止部材８６は打球の飛入に備えて可変扉１４を水平姿勢に保持したまゝにあり、次に受部１２に打球の飛入があったとき、前述した左方の可変扉１４及び係止部材８６と同一の動きを通して可変扉１４をロックし、係止部材８６の滑合部９８を重錘ピン８４の上に重ねることになる。
【００８４】
ところで、本実施例では左右の翼片部７ａ，７ａに各２個づつの飛入口１１、並びに受部１２を備え、これらの飛入口１１に対して昇降台７３に連結した２本の連動杆７４，７４の各外端を伸してそれぞれの重錘ピン８４を前述するように飛入口１１を開閉する可変扉１４と係止部材８６に関係付ける構造としたことにより、特定入賞口２８を通して昇降台７３に入賞球Ｐが受け入れられると、この昇降台の下降に伴って前記ピン８４，８４が上昇し、全ての係止部材８６の滑合部９８を押上げることになる。そのため、それぞれの係止片９９が係合片９５から離れることになる結果、可変扉１４のロック状態が解除され、各可変扉１４はその重錘９１による重心の偏在によって起立した状態から水平姿勢に変換し、全ての飛入口１１が開放することになる。
それと同時に、各飛入口１１は打球が飛入することにより個別に可変扉１４を回転させて飛入口１１を閉塞すると共に、可変扉１４を前述のように係止部材８６によって起立姿勢にロックすることになる。
【００８５】
図中の符号１０４は前記飛入口２７及び特定乃至普通入賞口２８，２９に装着した検出スイッチ６７，６８，２７ａの中継基板であり、１０５はこの中継基板１０４を固定するための取付枠である。そして、１０６及び１０７は各種の演出に合せて点滅させるＬＥＤを前面に多数備えたＬＥＤ基板である。
【００８６】
以上説明するように、本発明に係る入賞装置は、第１の入賞口に当る前記入賞室２６、そして特定入賞口２８に飛入した入賞球Ｐを球受部７８に受け取ることによって下降し、また放出することによって上昇する昇降台７３と、この昇降台７３の上下動によって支軸８１を支点に揺動し、外端に備える重錘を兼ねたピン８４を上下動させる連動杆７４とを備える連動機構７１を内臓することから、前記第１の入賞口に入賞する球Ｐの重量を受けて第２の入賞口である個々の飛入口１１に備える可変扉１４を開放するに当って、この入賞球Ｐを直接前記連動杆７４の端部、更に言えば連動杆の内端に作用させることなく揺動させることができるものとなっている。
【００８７】
従って、入賞球Ｐの重量を全て昇降台７３に掛けることができ、この昇降台の昇降動を利用して連動杆７４を揺動させ、第２の入賞口たる前記飛入口１１を開閉操作する可変扉を作動することができることから、球Ｐの落下移動と連動杆７４の揺動運動の間で接触の変化によって連動杆に対する荷重に差を生じたり、或いは球Ｐの落下誘導が円滑に行われないことによって不要な抵抗を受け、連動杆に対して充分に重量が掛けられないと言った不具合を完全に解消することができる。
【００８８】
また、この様に入賞球Ｐを昇降台７３に受けてこの昇降台を下降させる構造にして直接連動杆７４に作用させることなく揺動させられるようにしたことから、昇降台７３と連動杆７４の内端の連結位置を変えることによって連動杆の設置位置を変えることができる。
つまり、前述従来の技術による場合は、連動杆は常に入賞球の落下範囲にその一端（内端）を臨ませ、この球Ｐを受け取ることによって球の重量で直接揺動させる必要があり、入賞球の落下移動範囲と切り離して設置することができなかったが、本発明においてはこの両者の間に昇降台が介挿され、この昇降台の上下動により連動杆が揺動される構造としたことから、昇降台と連動杆との連結位置を変えることによって自由に連動杆の位置を設定することが可能になったのである。
【００８９】
前記実施例において、前記昇降台７３に対して連結杆７４を昇降台の球受部７８より高い位置に形成する連結用長孔８３に内端の軸部８２を滑合して連結する（図２３を参照）構造は、上記昇降台７３が介挿されたことによって可能になったものであり、これにより第２の入賞口となる前記飛入口１１を特定入賞口２８の通路６９より高い位置に設置して入賞室２６の両側に飛入口１１の配置を可能にして左右対称のバランスの取れた入賞装置３の提供を可能にしている。
【００９０】
更に言えば、図示しないが、前記昇降台７３を上下に伸ばして連結用の長孔８３を上下二段に形成すれば、上下二段に連動杆７４を併設配置することが可能である。従って、これに伴わせてこの連動杆によって開閉操作される可変扉１４を備える飛入口１１を上下に開設すれば、更に形状を異にした変化のある入賞装置を提供することができる。
【００９１】
更に加えて本発明は、入賞球Ｐを昇降台７３に受け取り、その重量を受けて昇降台を下降させ、この間に上記入賞球を上方の位置から下方の位置に移動させることになるが、このとき昇降台７３は、上記入賞球Ｐを球受部７８にどの方向から受け入れても、またどの方向に放出しても昇降台の機能を損なうことがない。つまり、球受部７８の球入口１００ａと球出口１００ｂの開口方向は自由である。
【００９２】
従って、本実施例では上記球入口１００ａを前面側に向け、球出口１００ｂを背面側に向けて開口しているが、側方に向け開口するものであってもよい。
この場合、球入口１００ａについては、第１の入賞口との関係から前方に向けて開口させる場合が多くなるが、球出口１００ｂについては入賞球の後処理の関係から、また側方から臨む連動杆７４の連結位置や、入賞装置全体の後方への突き出し等その大きさの関係から後向きの他に、左右いずれかの向きに開口させて、放出される球の誘導に備えるようにするとよい。
この場合、球入口１００ａと球出口１００ｂとの向きが前後方向からその他の方向に変化しても、球受部７８の底部には入口から出口に向かって転がり誘導する傾斜を付しておくことが適当である。
【００９３】
また本発明は、上記球受部７８について前記実施例の説明では球入口１００ａと出口１００ｂの高さを底部の傾斜を入れても略同じ高さに形成するものとしているが、昇降台７３の内部に縦の空間を設けて縦長の球受部７８を形成し、その上端に球入口１００ａを、下端に球出口１００ｂを設けて受け入れた入賞球をこの球受部内て落下させ、昇降台の下降を進める一方、この落差を利用して入賞球を入賞装置の下方に誘導放出するようにしてもよい。
【実施例２】
【００９４】
図４１、図４２は前記昇降台７３を変えることによって連動杆７４との連結を変えて異なる形態の入賞装置とすることができることを説明する第２の実施例を示す。
尚、この実施例２では前記実施例１と同一の部所については同一の符号を使用してその説明を省略する。
ここに示す図面は、昇降台の形状を変更することによって連動杆との連結状態が変ること、そして連動杆の設置位置が変えられることによって第１の入賞口の設置位置に対して第２の入賞口の設置位置が変ることを説明することから、形状が変更される取付板と、取付板に開設される入賞室、及びロック機構７２を含む飛入口、そして、連動機構７１を構成する昇降台と連動杆とを表す背面図である。
【００９５】
取付板１１０は入賞室２６を形成する箱枠体９を取付ける中央板部１１０ａを中心に置いて右辺の上部から右側片部１１０ｂを、左辺の下部から左側片部１１０ｃをそれぞれ延設して左右非対称に形成してあり、これらの片部に前記実施例１と同様の飛入口１１をそれぞれ開設して各可変扉１４を備えると共に、これらにロック機構７２を組み込んで第２の入賞口を構成している。
【００９６】
この実施例における昇降台１１１は、前記実施例１に示す昇降台７３より縦長に形成してあり、下部に設ける球受部７８を特定入賞口２８に連通する誘導路６９に臨ませるようにしてある。そして、上端を前記右側片部１１０ｂに開設する飛入口１１の高さに対応させて、この上部に連動杆７４の内端を連結する横長の連結用長孔１１２を形成し、また、高さの略中央部に前記左側片部１１０ｃに開設される飛入口１１に対応させて連動杆７４の内端を連結する横長の連結用長孔１１３を形成する。そして、それぞれの長孔１１２，１１３に連動杆７４の連結軸部８２を連結して左右の連動杆を上下に段差を付けて配置するようにしてある。
【００９７】
図４１は、左右の連動杆７４，７４の各外端側に置く重心位置にり支軸８１を支点にそれぞれの外端が下降し、これに伴って昇降台１１１が上昇位置にある状態を示す。このとき、球受部７８は誘導路６９に臨み、前述第１の実施例と同様に連動杆７４は各外端の下降に伴って係止部材８６の滑合腕９８を下げ、係止片９９を可変扉１４の係合片９５に係合させてこの可変扉１４を起立姿勢に拘束することになる。
【００９８】
次に、図４２は、上記の状態において特定入賞口２８に球Ｐが入賞して誘導路６９を通して球受部７８にこの球Ｐが転入することで昇降台１１１が下降し、最下点に達した状態を示している。
昇降台１１１の下降によって左右の連動杆７４、７４は各内端を下げ、外端を跳ね上げて係止部材８６の滑合腕９８を押上げることになる。そして、これにより係止片９９が係合片９５から外れることになるため、各飛入口１１の可変扉１４が解放されて前端部に置く重心位置によって前方に倒れて飛入口を開放することになり、且つ水平姿勢に変換することで打球の受け入れを可能にすることになる。
【００９９】
ここにおける動作は前記実施例１におけるものと全く同一であり、１つの昇降台１１１の上下動によって左右の連動杆７４が一体に揺動し、ロック機構７２を作動させて可変扉を開放し、第２の入賞口となる飛入口１１を開放することになる。
【０１００】
この様に、本発明は昇降台を介して連動杆を作動する構造にすることから入賞球の落下移動の範囲にかかわらず自由に連動杆を配置できることから、この連動杆によって開閉操作される第２の入賞口もこれに伴わせて自由に開設位置を設定することができることになる。
従って、本発明によれば、上記第２の入賞口の開設位置の自由度により第１の入賞口と第２の入賞口との位置関係を自由に設定することができるため、入賞装置における入賞口を自由に設計することができ、従来の制約を外した変化に富んだ入賞装置を提供することができる。
しかも、本発明によれば、１つの昇降台を介して複数の連動杆を連結することができることから、多数の第２の入賞口を備えた入賞装置を設計することができ従来にない装置を提供することができる。
【０１０１】
尚、入賞装置の設計に当っては、昇降台によって揺動する連動杆が昇降台に受ける入賞球の重量によってバランスを崩すことによって重心を置く外端側を跳ね上げるものとすることから、連動杆自体の重量、揺動支点の位置、組み込む連動杆の数等と、これに釣り合う昇降台の重量を考慮して設計されることは言うまでもない。
【図面の簡単な説明】
【０１０２】
【図１】本発明に係る入賞装置の使用状態を説明する正面図。
【図２】正面側から見た入賞装置の斜視図。
【図３】背面側から見た入賞装置の斜視図。
【図４】正面側から見た入賞装置の分解斜視図。
【図５】背面側から見た入賞装置の分解斜視図。
【図６】図４の前半部分の斜視図。
【図７】図４の後半部分の斜視図。
【図８】図５の前半部分の斜視図。
【図９】図５の後半部分の斜視図。
【図１０】入賞装置の箱枠体とその内部に収められる振り分け部材、ステージ板、第２ステージ板の関係を示す正面図。
【図１１】図１０の斜視図。
【図１２】駆動機構の正面側から見た斜視図。
【図１３】駆動機構の背面側から見た斜視図。
【図１４】駆動機構の本体部分の斜視図。
【図１５】（Ａ）ステージ板が水平な状態にあり、振り分け部材が下降位置にあるときの入賞球の転がりを説明する斜視図。              （Ｂ）ステージ板が水平な状態にあり、振り分け部材が下降位置にあるときの入賞球の転がりを説明する右側面図。
【図１６】（Ａ）ステージ板が後傾した状態にあり、振り分け部材が下降位置にあるときの入賞球の転がりを説明する斜視図。              （Ｂ）ステージ板が後傾した状態にあり、振り分け部材が下降位置にあるときの入賞球の転がりを説明する右側面図。
【図１７】（Ａ）ステージ板が後傾した状態にあり、振り分け部材が上昇位置にあるときの入賞球の転がりを説明する斜視図。              （Ｂ）ステージ板が後傾した状態にあり、振り分け部材が上昇位置にあるときの入賞球の転がりを説明する右側面図。
【図１８】取付板に対する連動機構とロック機構の関係を示す背面図。
【図１９】図１８の斜視図。
【図２０】図１８の拡大中央縦断左側面図。
【図２１】昇降台が上昇位置にあり、連動杆の外端に備えるピンが下降位置にある状態を説明する背面図。
【図２２】図２１の斜視図。
【図２３】図２１の拡大中央縦断左側面図。
【図２４】昇降台が下降し、連動杆の外端に備えるピンが上昇してロック機構のロック状態を解除した状態を説明する背面図。
【図２５】図２４の拡大中央縦断左側面図。
【図２６】連動機構を構成する昇降台と連動杆の分解斜視図。
【図２７】連動杆のピンが下降位置にあって起立姿勢にある可変扉をロックした状態を説明する拡大正面図。
【図２８】図２７の斜視図。
【図２９】図２７の背面図。
【図３０】図２９の斜視図。
【図３１】連動杆のピンが上昇位置にあって可変扉のロック状態を解除したことに伴って可変扉が水平に転倒した状態を説明する正面図。
【図３２】図３１の斜視図。
【図３３】図３１の背面図。
【図３４】図３３の斜視図。
【図３５】連動杆のピンが下降位置にあって左方の可変扉が起立してロックされた状態にあり、右方の可変扉が水平姿勢にあってロック解除の状態にあることを説明する正面図。
【図３６】図３５の斜視図。
【図３７】連動杆とロック機構を構成する係止部材、可変扉との関係を説明する正面側から見た分解斜視図。
【図３８】連動杆とロック機構を構成する係止部材、可変扉との関係を説明する背面側から見た分解斜視図。
【図３９】可変扉が起立姿勢にあって小飛入口を閉塞した状態を説明する縦断右側面図。
【図４０】可変扉が水平姿勢にあって小飛入口が開放した状態を説明する縦断右側面図。
【図４１】実施例２における昇降台が上昇位置にあり、連動杆の外端に備えるピンが下降位置にある状態を説明する背面図。
【図４２】実施例２における昇降台が下降し、連動杆の外端に備えるピンが上昇してロック機構のロック状態を解除した状態を説明する背面図である。
【符号の説明】
【０１０３】
１                遊技盤
３                入賞装置
４                遊技部
７，１１０        取付板
７ａ              取付板の翼片部
８                開口部
９                箱枠体
１０              前飾り枠
１１              第２の入賞口となる小飛入口
１２              受部
１３              受枠
１４              可変扉
１５              ステージ板
１５ａ            ステージ板の前縁部
１５ｂ            ステージ板の後縁部
１６              第２ステージ板
１７              振り分け部材
１７ａ            仕切り突起部
２６              入賞室
２７              飛入口
２８              第１の入賞口となる特定入賞口
２９              普通入賞口
３６              駆動機構
３７              モータ
７１              連動機構
７２              ロック機構
７３，１１１      昇降台
７４              連動杆
７５              摺動枠となるカバー
７７              昇降台の上下の移動を案内する縦長孔
７８              球受部
８１              連動杆を揺動自由に支持する支軸
８２              連動杆の内端に設けた連結のための軸部
８３              昇降台に設けた連動杆を連結のための横長の長孔                  ８４              重錘ピン
８６              係止部材
９５              係合片
９５ａ            係合片の前縁
９６              係止部材の軸受部
９８              係止部材の滑合部
９９              係止部材の係止片
【図１】
2007296182.tif 000003
【図２】
2007296182.tif 000004
【図３】
2007296182.tif 000005
【図４】
2007296182.tif 000006
【図５】
2007296182.tif 000007
【図６】
2007296182.tif 000008
【図７】
2007296182.tif 000009
【図８】
2007296182.tif 000010
【図９】
2007296182.tif 000011
【図１０】
2007296182.tif 000012
【図１１】
2007296182.tif 000013
【図１２】
2007296182.tif 000014
【図１３】
2007296182.tif 000015
【図１４】
2007296182.tif 000016
【図１５】
2007296182.tif 000017
【図１６】
2007296182.tif 000018
【図１７】
2007296182.tif 000019
【図１８】
2007296182.tif 000020
【図１９】
2007296182.tif 000021
【図２０】
2007296182.tif 000022
【図２１】
2007296182.tif 000023
【図２２】
2007296182.tif 000024
【図２３】
2007296182.tif 000025
【図２４】
2007296182.tif 000026
【図２５】
2007296182.tif 000027
【図２６】
2007296182.tif 000028
【図２７】
2007296182.tif 000029
【図２８】
2007296182.tif 000030
【図２９】
2007296182.tif 000031
【図３０】
2007296182.tif 000032
【図３１】
2007296182.tif 000033
【図３２】
2007296182.tif 000034
【図３３】
2007296182.tif 000035
【図３４】
2007296182.tif 000036
【図３５】
2007296182.tif 000037
【図３６】
2007296182.tif 000038
【図３７】
2007296182.tif 000039
【図３８】
2007296182.tif 000040
【図３９】
2007296182.tif 000041
【図４０】
2007296182.tif 000042
【図４１】
2007296182.tif 000043
【図４２】
2007296182.tif 000044